(57)【要約】【課題】  おむつの着用中に着用者の動作等に起因するおむつのずれ落ちが起こりづらいパンツ型使い捨ておむつを提供すること。【解決手段】  吸収性コアを含む吸収体本体と外包材とを備え、ウエスト開口部５及び一対のレッグ開口部６，６が形成されているパンツ型の使い捨ておむつ１であり、外包材は、２枚の伸長性シートが積層された構造を有し、少なくとも一方の伸縮性シートは伸縮性を有しており、おむつの腹側部及び背側部それぞれにおけるウエスト開口部５とレッグ開口部６，６との間に、２枚の伸長性シートとは別の伸縮性シートが配されている高装着圧領域７１又は２枚の伸長性シートのうちの伸縮性を有するシートが２層以上の重層部を形成している高装着圧領域７１を有しており、高装着圧領域７１は、ウエスト開口部の周縁領域７２、及び該高装着圧領域よりもレッグ開口部側の領域７３のそれぞれよりも、おむつ着用時の圧力が高くなされている。【選択図】    図１
2010279813.tif 000002
【特許請求の範囲】
【請求項１】
吸収性コアを含む吸収体本体と、該吸収体本体の非肌当接面側に配され該吸収性本体を固定している外包材とを備え、ウエスト開口部及び一対のレッグ開口部が形成されているパンツ型の使い捨ておむつであって、
前記外包材は、２枚の伸長性シートが積層された構造を有し、２枚の該伸長性シートの少なくとも一方は伸縮性を有しており、
おむつの腹側部及び背側部それぞれにおける前記ウエスト開口部と前記レッグ開口部との間に、前記２枚の伸長性シートとは別の伸縮性シートが配されている高装着圧領域又は前記２枚の伸長性シートのうちの伸縮性を有するシートが２層以上の重層部を形成している高装着圧領域を有しており、
前記高装着圧領域は、前記ウエスト開口部の周縁領域及び該高装着圧領域よりも前記レッグ開口部側の領域のそれぞれよりも、おむつ着用時の圧力が高くなされているパンツ型使い捨ておむつ。
【請求項２】
幼児用の使い捨ておむつであり、前記おむつの展開状態において、長手方向中心線から腹側部の前記高装着圧領域の中心位置までの距離が１８０〜２２０ｍｍであり、且つ長手方向中心線から背側部の前記高装着圧領域の中心位置までの距離が１８０〜２２０ｍｍである請求項１記載のパンツ型使い捨ておむつ。
【請求項３】
前記高装着圧領域は、おむつ着用時の圧力が０．８〜２．５ｋＰａとなされており、前記ウエスト開口部の周縁領域は、おむつ着用時の圧力が０．３〜１．５ｋＰａとなされており、前記高装着圧領域と前記ウエスト開口部の周縁領域との前記圧力の差が０．５〜１．０ｋＰａである請求項１又は２記載のパンツ型使い捨ておむつ。
【発明の詳細な説明】
【技術分野】
【０００１】
本発明は、パンツ型使い捨ておむつに関する。
【背景技術】
【０００２】
パンツ型使い捨ておむつにおいて、ウエスト開口部とレッグ開口部との間に、おむつの幅方向に延びる弾性部材を配したものが知られている。例えばおむつの少なくとも腹側が、コアの前端縁を境とする上下各最大２０ｍｍの範囲で画成される第１胴周り域と、該第１胴周り域とレッグ開口部との間に画成される第２胴周り域とを有し、第１胴周り域における弾性部材の各々の配列間隔寸法を、第２胴周り域における弾性部材の各々の配列間隔寸法よりも小さくしたパンツ型使い捨ておむつが提案されている（特許文献１参照）。このおむつは、第１胴周り域及び第２胴周り域における一定面積の当たりの面圧を実質的に等しくしつつ、肌に対する密着性に関し、第１胴周り域を第２胴周り域よりも良好にすることで、おむつの着用感を損なうことなく漏れを防止しようとするものである。
【０００３】
また弾性部材の配設間隔を、レッグ開口部に向かうに連れて漸次狭くなるようにすることで、着用者の胴部腰骨の上部に強い収縮力が働くようにしたパンツ型使い捨ておむつも知られている（特許文献２参照）。
【０００４】
しかしこれらのおむつでは、着用中におむつがずれ落ちて外観が低下し、またずれ落ちに起因して着用者が動きにくくなるおそれがある。また、ウエスト開口部に強い締め付け圧が加わるので、おむつを着用させにくくなるおそれがある。
【０００５】
【特許文献１】特開平９−８４８２６号公報
【特許文献２】実開平６−４２１号公報
【発明の開示】
【発明が解決しようとする課題】
【０００６】
従って本発明の目的は、前述した従来技術が有する種々の欠点を解消し得るパンツ型使い捨ておむつを提供することにある。
【課題を解決するための手段】
【０００７】
本発明は、吸収性コアを含む吸収体本体と、該吸収体本体の非肌当接面側に配され該吸収性本体を固定している外包材とを備え、ウエスト開口部及び一対のレッグ開口部が形成されているパンツ型の使い捨ておむつであって、前記外包材は、２枚の伸長性シートが積層された構造を有し、２枚の該伸長性シートの少なくとも一方は伸縮性を有しており、おむつの腹側部及び背側部それぞれにおける前記ウエスト開口部と前記レッグ開口部との間に、前記２枚の伸長性シートとは別の伸縮性シートが配されている高装着圧領域又は前記２枚の伸長性シートのうちの伸縮性を有するシートが２層以上の重層部を形成している高装着圧領域を有しており、前記高装着圧領域は、前記ウエスト開口部の周縁領域及び該高装着圧領域よりも前記レッグ開口部側の領域のそれぞれよりも、おむつ着用時の圧力が高くなされているパンツ型使い捨ておむつを提供することにより前記目的を達成したものである。
【発明の効果】
【０００８】
本発明のパンツ型使い捨ておむつは、おむつの着用中に着用者の動作等に起因するおむつのずれ落ちが起こりづらい。特におむつの股下部のだぶつきが起こりづらい。従って、着用状態のおむつの外観を良好に保つことができる。おむつのずれ落ちに起因して着用者の動作が妨げられることもない。またおむつに配されている弾性部材が着用者の身体を過度に締め付けることが防止され、着用感が良好になる。更におむつのずれ落ちが抑制されることにより、着用中における尿や便の漏れの発生が抑制される。
【発明を実施するための最良の形態】
【０００９】
以下本発明を、その好ましい実施形態に基づき図面を参照しながら説明する。図１には、本発明のパンツ型使い捨ておむつの一実施形態の斜視図が示されている。図２には、図１のおむつの展開状態の平面図が示されている。図３には、図１のおむつの分解斜視図が示されている。
【００１０】
本実施形態のおむつ１は、液透過性の表面シート２、液不透過性又は撥水性の裏面シート３及び両シート２、３間に介在配置された液保持性の吸収性コア４を有する実質的に縦長の吸収体本体１０と、該吸収体本体１０の裏面シート３側に配された外包材１１とを備えている。
【００１１】
外包材１１は、その両側縁が、長手方向中央部において内方に括れた砂時計状の形状をしており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前後端部に相当し、股下部Ｃは外包材１１の長手方向中央部に相当する。外包材１１は、その腹側部Ａの両側縁Ａ１，Ａ２と背側部Ｂの両側縁Ｂ１，Ｂ２とが互いに接合されて、おむつ１にはウエスト開口部５及び一対のレッグ開口部６が形成される。この接合によって、おむつ１の左右両側縁には一対のサイドシール部Ｓが形成される。この接合には例えばヒートシール、高周波シール、超音波シール等が用いられる。
【００１２】
表面シート２、裏面シート３及び吸収性コア４はそれぞれ矩形状であり、一体化されて縦長の吸収体本体１０を形成している。表面シート２、防漏シート３及び吸収性コア４としては、それぞれ、従来この種のおむつに用いられているものと同様のものを用いることができる。例えば、吸収性コア４としては、高吸収性ポリマーの粒子及び繊維材料から構成され、ティッシュペーパ（図示せず）によって被覆されているもの等を用いることができる。
【００１３】
図２に示すように、吸収体本体１０の長手方向の左右両側には、液抵抗性ないし撥水性で且つ通気性の素材から構成された側方カフス８、８が形成されている。各側方カフス８の自由端部の近傍には、側方カフス弾性部材８１が伸張状態で配されている。これにより、図１のように組み立てられたおむつ１を着用させる際には、弾性部材８１が縮むことにより側方カフス８が起立して、吸収体本体１０の幅方向への液の流出が阻止される。図３には、側方カフス８、８形成用のシート材が符号８２で示されている。このシート材８２は、おむつ１の状態においては、吸収性本体１０の幅方向外側の所定幅の部分８２Ｓが、裏面シート３の非肌当接面側に巻き下げられ、該裏面シート３と外包材１１との間に固定されている。裏面シート３は、外包材１１に例えば接着剤１５等の公知の接合手段によりて固定されている。
【００１４】
外包材１１は、２枚の伸縮性不織布１２，１３が積層された構造を有している。即ち、外層不織布１２と該外層不織布１２の内面側に配された内層不織布１３とを有しており、これらは何れも伸縮性の不織布からなる。本実施形態のおむつ１において、外層不織布１２はおむつ１の外面をなし、内層不織布１３は外層不織布１２の内面側に、ホットメルト粘着剤等の接着剤１４によって接合されている。外層不織布１２と内層不織布１３は液の染み出し性を考慮すると、共に撥水性であることが好ましい。
【００１５】
ここで、伸縮性不織布とは、少なくとも幅方向に伸長させた際の回復率が７０％以上のものであり、例えば、弾性繊維シート、弾性繊維シートと不織布を複合化させたもの、フィルムと不織布を複合化させたもの、伸縮ネットと不織布を複合化させたもの、熱収縮繊維を利用したもの等が挙げられる。これらの中でも、弾性繊維の集合体からなる弾性繊維シートの少なくとも一面に、伸長可能な繊維集合体を複合化し、その後延伸加工を施してなるもの等が、装着時の風合い、通気性、おむつ着脱時の伸びやすさの点から好ましい。
尚、外層不織布１２と内層不織布１３とは、同じ構成の伸縮性不織布であっても良いし、異なる構成の伸縮性不織布であっても良い。
【００１６】
外包材１１における前後端部には、前後端縁に沿って、複数のウエスト部弾性部材５１、５１がその幅方向に亘り配されている。各ウエスト部弾性部材５１、５１は、外層不織布１２と内層不織布１３とによって伸張状態で挟持固定されている。各ウエスト部弾性部材５１、５１は、おむつ１の腹側部Ａの両側縁Ａ１，Ａ２と背側部Ｂの両側縁Ｂ１，Ｂ２とを互いに接合（接合部分）させた状態においては、図１に示すように、おむつ１のウエスト開口部５付近に実質的に連続したリング状のウエストギャザーを形成している。
【００１７】
また、外包材１１における左右両側の湾曲部には、レッグ部弾性部材６１ａ、６１ｂが配されている。各レッグ部弾性部材６１ａ、６１ｂは、前記湾曲部に沿って配されている。各レッグ部弾性部材６１ａ、６１ｂは、外層不織布１２と内層不織布１３との間に配されており、接着剤によって、両不織布１２、１３に伸張状態で固定されている。各レッグ部弾性部材６１ａ、６１ｂは、その一端どうしが股下部Ｃにおいて重なり合っている。一方、他端は腹側部Ａ及び背側部Ｂの各側縁の位置において終端している。各レッグ部弾性部材６１ａ、６１ｂは、おむつ１の腹側部Ａの両側縁Ａ１，Ａ２と背側部Ｂの両側縁Ｂ１，Ｂ２とを互いに接合させた状態においては、図１に示すように、おむつ１のレッグ開口部６、６付近に実質的に連続したリング状のレッグギャザーを形成している。ウエスト部弾性部材及びレッグ部弾性部材としては、それぞれ、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００１８】
外包材１１を構成する外層不織布１２は、図３に示すように、外層不織布１２と内層不織布１３とによって各ウエスト部弾性部材５１，５１を挟持固定する部位よりも更に延出する長さを有し、外層不織布１２の内層不織布１３より延出した部分１２ａが、図４に示すように、吸収体本体１０側に折り返されている。
【００１９】
本実施形態のおむつ１においては、図４に示すように、おむつ１の腹側部Ａ及び背側部Ｂそれぞれにおけるウエスト開口部５とレッグ開口部６との間における、おむつ縦方向の中央部よりややウエスト開口部５寄りの位置に、上述した外層不織布１２及び内層不織布１３とは別の伸縮性シート７が配されており、伸縮性シート７が配された領域が高装着圧領域７１となっている。高装着圧領域７１は、おむつ着用時の圧力が、その上方に位置するウエスト開口部５の周縁領域７２におけるおむつ着用時の圧力よりも高くなっている。また、高装着圧領域７１は、おむつ着用時の圧力が、該領域７１よりもレッグ開口部側の領域７３におけるおむつ着用時の圧力よりも高くなっている。
【００２０】
本実施形態のおむつ１においては、高装着圧領域７１におけるおむつ１の着用時の圧力が０．８〜２．５ｋＰａとなされている。高装着圧領域７１は、おむつ１を着用したときに着用者の腸骨稜から上前腸骨棘にかけての部位（以下、腸骨領域ともいう）に当接する部位に好ましくは形成されている。腸骨稜及び上前腸骨棘は解剖学の用語である。腸骨稜とは図５において９ａで示される部位であり、上前腸骨棘とは同図において９ｂで示される部位である。従来、パンツ型おむつの着用中のずれ落ちを防止するためには、特に幼児用のパンツ型使い捨ておむつの着用中のずれ落ちを防止するためには、ウエスト開口部に配設する弾性部材の締め付け圧を高くして、該ウエスト開口部によってパンツ型おむつを着用者の身体に密着させることが有効であると考えられてきた（例えば、先に述べた特許文献２参照）。しかし本発明者らの検討の結果、パンツ型おむつの着用中のずれ落ちを効果的に防止するためには、ウエスト開口部の締め付け圧を高くするよりも、着用者の腸骨領域に対応するおむつの部位の締め付け圧を従来よりも高めることが有効であることが見出された。この理由は、着用者、特に幼児は、その身体的な特徴として腹まわりが張り出しているので、当該張り出してる腹まわりに当接するウエスト開口部の締め付け圧を高くすると、その締め付け圧が高い故にウエスト開口部が次第に絞り込まれて、腹まわりが細くなる部位にまで該ウエスト開口部がずれ下がってくるからである。
【００２１】
図６は赤ちゃんの体を円錐に見立てた状態を示している。図中、θはウエスト部（点Ａ）における接線に対する垂線と、体の中心に向かう水平線のなす角度を表し、Ｆは弾性体の締め付け力を示し、ＰはＦに起因する摩擦力を示し、ｆ１はＦに起因するズレ落ち力を示し、ｆ２は垂直抗力を示している。ここで、ｆ１＝Ｆｓｉｎθであり、またＰ＝νＮ＝νｆ２＝νＦｃｏｓθ（νは摩擦係数を表す）であるから、点Ａにおける下方に向くずれ落ち力Ｚは次式で表される。
Ｚ＝ｆ１−Ｐ＝Ｆｓｉｎθ−νＦｃｏｓθ＝Ｆ（ｓｉｎθ−νｃｏｓθ）
この式から、ウエスト部がずれ落ちの生じる状態にある場合、締め付け力（Ｆ）が大きい程ずれ落ち力が大きくなることが理解できる。
【００２２】
前述した通り、本実施形態においては、高装着圧領域７１におけるおむつ１の着用時の圧力は０．８〜２．５ｋＰａである。高装着圧領域７１におけるおむつ１の着用時の圧力が０．８ｋＰａ以上であると、おむつ１の高装着圧領域７１を着用者の腸骨領域に固定することが容易であり、その結果おむつ１のずれ落ちが防止され、着用状態でのおむつ１の外観も良好になる。特に、おむつ１の股下部Ｃでのだぶつきを顕著に抑制でき、また尿および便の漏れも効果的に防止できる。他方、高装着圧領域７１におけるおむつ１の着用時の圧力が２．５ｋＰａ以下であると、着用者の身体を過度に締め付けることを防止できるほか、おむつ１の装着操作が容易である。おむつ１のずれ落ちを一層効果的に防止し、また着用状態でのおむつ１の外観やおむつ１の装着操作を一層向上させる観点から、高装着圧領域７１におけるおむつ１の着用時の圧力は１．１〜２．５ｋＰａであることが好ましく、１．１〜２．０ｋＰａであることがより好ましく、１．２〜１．８ｋＰａであることが更に好ましい。
【００２３】
高装着圧領域７１の形成に用い得る伸縮性シート７としては、外層不織布１２及び内層不織布１３を構成する不織布として上述したものと同様の伸縮性不織布や同様の伸縮性不織布で高坪量化したもの、伸縮性ネット、伸縮性フィルム、ウレタンシート等を用いることができる。また、これら以外のシートであっても、高装着圧領域７１における圧力を他の部分よりも高められるものを広く用いることができる。伸縮性シート７は、外層不織布１２を構成する伸縮性不織布よりも、収縮時の応力が高いものを用いることが好ましい。
【００２４】
高装着圧領域７１におけるおむつ１の着用時の圧力は、周長が５００ｍｍの円筒におむつ１を装着し、装着圧測定装置（（株）エイエムアイ・テクノ製の接触圧測定器（ＡＭＩ３０３７−２））によって測定される。具体的な測定法は以下の通りである。
【００２５】
〔高装着圧領域７１の圧力の測定方法〕
φ＝１５ｍｍのエアパックを用い、おむつ１と円筒との間にエアパックを挿入して、装着圧を測定する。エアパックは、エアパックの中心が、おむつ幅方向においては、おむつの左右側縁と吸収性コア４の左右両側縁との間のほぼ中央に位置し、おむつ縦方向においては、高装着圧領域７１のおむつ縦方向の中心位置Ｃ７１に位置するようにセットする（図２にエアパックの中心を位置させる位置をＰ１で示した）。高装着圧領域７１の圧力の測定は、腹側部Ａの左右両側及び背側部Ｂの左右両側において行い、合計４点の測定値の平均値を、高装着圧領域７１の圧力とする。
【００２６】
円筒の周長を５００ｍｍとした理由は、本実施形態のおむつ１を着用する主たる対象者である幼児の腹まわりの長さの平均がおおよそ５００ｍｍであることによる。なお、ここで言う腹まわりの長さは、幼児の姿勢が変化した時の腹まわりの周長の変化を考慮し、立位および座位で測定した腹まわりの平均値である。成人用のおむつの場合には、周長５００ｍｍの円筒に代えて、周長８５０ｍｍの円筒を用いる。
【００２７】
着用者の腸骨稜から上前腸骨棘にかけての部位には一定の幅があり、当該幅の範囲内でおむつ１の高装着圧領域７１を当該部位に固定することで、おむつ１のずれ落ちを効果的に防止することができる。この観点から、本実施形態のおむつ１においては、高装着圧領域７１の幅（つまり、おむつ１の長手方向に沿う高装着圧領域７１の長さ）Ｗ１を１２〜３５ｍｍとしている。この幅Ｗが２０〜３５ｍｍ、特に２５〜３０ｍｍであると、おむつ１のずれ落ちを一層効果的に防止することができ、また着用状態でのおむつ１の外観やおむつ１の装着操作（はかせやすさ等）を一層向上させることができる。
【００２８】
おむつ１を着用した状態で、高装着圧領域７１が着用者の腸骨稜から上前腸骨棘にかけての部位に当接するようにするためには、おむつ１の寸法と着用者の体格との関係が重要である。例えばパンツ型おむつの主たる着用対象者である幼児を考えた場合、おむつ１の展開状態において、腹側部Ａの高装着圧領域７１の中心位置（おむつ１の長手方向における中心位置）Ｃ７１とおむつ１の長手方向中心線ＣＬとの間の距離Ｋ１（図３参照）を１８０〜２２０ｍｍとし、且つおむつ１の展開状態において、背側部Ｂの高装着圧領域７１の中心位置（おむつ１の長手方向における中心位置）Ｃ７１とおむつ１の長手方向中心線ＣＬとの間の距離Ｋ２（図３参照）を１８０〜２２０ｍｍとすることで、高装着圧領域７１を着用者の腸骨領域に首尾良く当接させることができる。この値はパンツおむつの主たる着用対象者である幼児約３５０人の身体計測を実施して決定されたものである。具体的には図７に示すように、上前腸骨棘の水平位置高さにある腹側部左右中心点を上前腸骨棘高前中心とし、背側部を上前腸骨棘高後中心とすると、上前腸骨棘高前中心から股下を経由し上前腸骨棘高後中心までの長さを上前腸骨棘高前後長とし、この上前腸骨棘高前後長におむつの材料による厚み等を考慮した必要長を加えて得られた数値を二分したものである。当該距離Ｋ１およびＫ２を１８５〜２１５ｍｍ、特に１８５〜２１０ｍｍとすることで、高装着圧領域７１を着用者の腸骨領域に一層首尾良く当接させることができる。
成人用のおむつの場合には、当該距離Ｋ１およびＫ２を３００〜３５０ｍｍ、特に３０５〜３３５ｍｍとすることで、高装着圧領域７１を着用者の腸骨領域に一層首尾良く当接させることができる。
【００２９】
高装着圧領域７１は腹側部Ａ及び背側部Ｂに存在するが、腹側部Ａ及び背側部Ｂにおける装着時の圧力は全く同じである必要はない。しかし、腹側部Ａ及び背側部Ｂの高装着圧領域７１の構成が過度に異なると、外包材１１における長手方向前後端部の左右両側部どうしが互いに接合されている部位が、装着時において前後いずれかにずれてしまい、おむつ１の外観に不具合が生じることがある。そこで、腹側部Ａ及び背側部Ｂにおける高装着圧領域７１の装着時の圧力の大きい方をＡ、小さい方をＢとした時、（Ａ−Ｂ）／Ａの比が３０％以内であることが好ましい。
【００３０】
上述したおむつ１の長手方向中心線ＣＬとは、おむつ１の腹側部Ａの両側縁Ａ１，Ａ２と背側部Ｂの両側縁Ｂ１，Ｂ２とが実質的にずれることなく互いに接合されている場合においては、おむつ１の展開状態におけるＡ１、Ｂ１の中点を通るおむつ幅方向に沿う直線のことをいう（図２参照）。これと異なり、例えば図８（ａ）及び（ｂ）に示すように、腹側部Ａの両側縁Ａ１，Ａ２が、背側部Ｂの両側縁Ｂ１’，Ｂ２’と接合されておらず、両側縁Ｂ１’，Ｂ２’よりも長手方向内方の位置であるＢ１，Ｂ２において接合されている場合においては、Ｂ１，Ｂ２からＢ１’，Ｂ２’にかけての領域をないものと仮定した上で、前述と同様に、おむつの長手方向中心線を定める。
【００３１】
なお、おむつ１の展開状態における外包材１１の全長Ｌは任意に設定可能であるが、おむつ装着時および使用後の「すっきり感」および「ずれ落ち防止性」を考慮すると、４６０〜５２０ｍｍに設定することが好ましい。また「装着時の安心感」を考慮すると、おへそを完全にカバーすることが望ましく、その観点から４９０〜５８０ｍｍに設定することが好ましい。
【００３２】
本実施形態におむつ１においては、主として、高装着圧領域７１による締め付け力によっておむつ１を着用者の身体に固定している。換言すれば、従来のパンツ型おむつと異なり、ウエスト開口部５の周縁領域７２による締め付け力は、本実施形態のおむつ１においては、おむつ１を着用者の身体に固定するための主たる手段ではない。逆にウエスト開口部５の周縁領域７２の締め付け力を高くしてしまうと、おむつ１のずれ落ちが助長されてしまうことが本発明者らによって確認されている。この観点から、本実施形態のおむつ１においては、おむつ着用時のウエスト開口部５の周縁領域７２の圧力（以下、ウエスト開口部５の圧力ともいう）は、従来のパンツ型おむつのそれよりも低い値である０．３〜１．５ｋＰａとなされている。この圧力は、おむつ着用時の高装着圧領域７１の圧力の平均値よりも０．５〜１．０ｋＰａ低いことが好ましい。また、おむつ着用時のウエスト開口部５の圧力を前記範囲内とすることで、おむつ１の着用時にウエスト開口部５を拡開しやすくなり、装着操作を行いやすくなるという利点もある。なおウエスト開口部５の圧力が０．３ｋＰａ未満であると、装着する前のおむつ１の自然長が大きくなり、衣服として見たときの見映えが悪い等の不具合が生じることがある。
【００３３】
おむつ着用時のウエスト開口部５の圧力が、より好ましくは０．４〜１．２ｋＰａ、更に好ましくは０．４〜１．０ｋＰａとなされていると、おむつ１のずれ落ちを一層効果的に防止することができる。ウエスト開口部５の圧力は、先に述べた高装着圧領域７１の圧力と同様の方法によって測定することができる。即ち、おむつ１のウエスト開口部５に周長５００ｍｍの円筒を挿入（装着）し、ウエスト開口部の先端部よりおむつ長手方向に１５ｍｍの位置に装着圧測定装置のエアパックの中心を位置させ装着圧を測定する。測定は円周方向に５０ｍｍ間隔にて１０点行い、その平均値をもってウエスト開口部の圧力とする。図８（ａ）及び（ｂ）に示すように、腹側のウエスト開口部の端縁の位置と、背側のウエスト開口部の端縁の位置とがずれている場合は、腹側と背側とが重なっている領域のうち、最も端部寄りの位置をもってウエスト開口部とする。
【００３４】
おむつ１においては、レッグ開口部に実質的に沿って弾性部材６１ａ，６１ｂが伸長状態で配されていることが好ましい。そして、おむつ着用時のレッグ開口部６の圧力が、１．０〜２．４ｋＰａ、特に１．２〜２．２ｋＰａとなされていることが好ましい。おむつ着用時のレッグ開口部６の圧力が前記範囲内であることによって、レッグ開口部６の開口端が着用者の鼠蹊部に適正にフィットし、着用者の脚周りからの液漏れを効果的に防止することができる。また、使用時において排尿／排便に起因しておむつ１の股下における重量が増加しても、股下において吸収体が着用者の身体から離間することが防止され、着用中のおむつ１の外観の低下及び尿や便の漏れが防止される。その結果、着用状態のおむつ１を良好な状態に保つことができる等の効果を得ることができる。
【００３５】
レッグ開口部の装着圧は次の方法で測定される。装置／エアパックはウエスト開口部の測定と同じである。おむつ１のレッグ開口部６に周長３００ｍｍの円筒を挿入（装着）し、弾性部材６１ａ，６１ｂが配置された部位にて円周方向に５０ｍｍ間隔で６点測定を行う。弾性部材６１ａ，６１ｂが複数本存在する場合は、該弾性部材が配置されている領域の幅中心点にて測定を行う。右足および左足計１２点の平均値をレッグ開口部６の装着圧とする。レッグ部弾性部材６１ａ，６１ｂが完全に、あるいは部分的にないものに関しては相当部位における側方カフス弾性部材８１が配置されている領域の装着圧をもってレッグ開口部の装着圧とする。円筒の周長を３００ｍｍとした理由は、本実施形態のおむつ１を着用する主たる対象者である幼児の鼠蹊部（足まわり）の長さの平均がおおよそ３００ｍｍであることによる。
【００３６】
更に本実施形態のおむつ１においては、高装着圧領域７１よりもレッグ開口部６側の領域７３（下方領域７３ともいう）におけるおむつ着用時の圧力が、高装着圧領域７１におけるおむつ着用時の圧力よりも低い。下方領域７３の圧力が高装着圧領域７１の圧力も低いことによって、おむつ１を着用者の身体に適度な圧力で密着させることができ、液漏れを効果的に防止することができる。
下方領域７３の圧力は、高装着圧領域の圧力に比べて０．３〜２．３ｋＰａ低いことが好ましく、０．５〜２．２ｋＰａ低いことがより好ましい。下方領域７３の圧力、好ましくは０．０５〜０．８ｋＰａであり、更に好ましくは０．１〜０．６ｋＰａである。
下方領域７３は、おむつ１を着用した場合に、着用者の腸骨領域の下側の領域（下腹部）に当接する。下方領域７３の幅（つまり、おむつ１の長手方向に沿う第２領域７２の長さ）Ｗ２は４０〜７０ｍｍ、特に４５〜６５ｍｍであることが好ましい。
【００３７】
下方領域７３の圧力は、先に述べた高装着圧領域７１の圧力と同様の方法によって測定することができる。即ち、おむつ１のウエスト開口部５から、周長５００ｍｍの円筒を、レッグ開口部６，６に達する深さまで挿入（装着）し装着圧を測定する。下方領域７３の圧力の測定は、腹側部Ａの左右両側及び背側部Ｂの左右両側において行い、合計４点の測定値の平均値を、下方領域７３の圧力とする。腹側部Ａにおける下方領域７３の圧力の測定においては、エアパックは、エアパックの中心が、おむつ幅方向においては、おむつの左右側縁と吸収性コア４の左右両側縁との間のほぼ中央に位置し、おむつ縦方向においては、高装着領域７１とレッグ弾性部材６１ａとの間の長手方向の中央に位置するようにセットする。背側部Ｂにおける下方領域７３の圧力の測定においては、エアパックは、エアパックの中心が、おむつ幅方向においては、おむつの左右側縁と吸収性コア４の左右両側縁との間のほぼ中央に位置し、おむつ縦方向においては、長手方向中心線ＣＬからの距離が、腹側部Ａにおけるセット位置と同じとなる位置にセットする。図２にエアパックの中心を位置させる位置をＰ２で示した。
【００３８】
本実施形態のおむつ１によれば、伸縮性シート７を所定部位に配しておむつ着用時における圧力を高めた高装着圧領域７１を有し、該高装着圧領域７１が、着用者の腸骨部位に良好に当接してずれ落ちを防止するため、おむつの着用中に着用者の動作等に起因するおむつのずれ落ちが起こりづらい。また、ウエスト開口部の周縁領域を締め付けなくても優れたずれ落ち防止性能が得られるため、着用感が良好になる。
また、おむつ着用時の圧力が高い高装着圧領域７１が、外包材を構成する２枚の伸縮性不織布とは別の伸縮性シート７を配して形成してあるため、同様の伸縮性シートを重ねて用いるよりも応力の制御が容易である。尚、伸縮性シート７は、腹側部Ａ及び背側部Ｂそれぞれにおいて、それらの両側縁部に固定されると共に、吸収性本体１０と重なる部分においては、吸収性本体１０の肌当接面に固定されている。
【００３９】
本実施形態のおむつ１においては、図３に示すように、おむつの腹側部Ａ及び背側部Ｂそれぞれにおける大部分において、外層不織布１２と内層不織布１３との間が接合されていない。具体的には、外包材１１の周縁部と、外包材１１の幅方向の中央部に外包材１１の長手方向の全長に亘って接着剤を塗工して形成した細幅の中央接合部１４のみにおいて、外層不織布１２と内層不織布１３との間が接合されている。おむつの腹側部Ａ及び背側部Ｂそれぞれにおける大部分において、外層不織布１２と内層不織布１３とを接合しない構成とすることにより、伸縮性不織布本来の伸縮を阻害しないため、着脱時は伸びやすく、接合のための接着剤を用いないことで通気性が良好となる。腹側部Ａにおいて、外層不織布１２と内層不織布１３との間が接合されていない面積の、腹側部Ａの全面積に対する割合は７０％以上であることが好ましく、８０〜１００％であることがより好ましい。背側部Ｂ側についても同様である。
【００４０】
次に、本発明の他の実施形態としての使い捨ておむつについて、図９及び図１０を参照して説明する。以下の説明においては、上述したおむつ１と異なる点について説明し、同様の点については説明を省略する。特に言及しない点については、上述したおむつ１に関する説明が適宜適用される。図９及び図１０には、使い捨ておむつ１と同様の構成部材には同一の符号を付してある。
【００４１】
図９に示すおむつにおいては、ウエスト開口部５において折り返された外層不織布１２ａを、内層不織布１３の肌当接面側において２層の重層部７Ａが形成されるように折り返してあり、その２層の重層部７Ａが配された領域が、厚み方向に合計４層の伸縮性不織布が積層された高装着圧領域７１となっている。
図１０に示すおむつにおいては、ウエスト開口部５において折り返された外層不織布１２ａを、内層不織布１３の肌当接面側において３層の重層部７Ｂが形成されるように３つ折り状態に折り畳んであり、その３層の重層部７Ｂが配された領域が、厚み方向に合計５層の伸縮性不織布が積層された高装着圧領域７１となっている。
【００４２】
このように、ウエスト開口部５において折り返された外層不織布１２ａを用いて、その上下の領域よりも、おむつ着用時の圧力が高い高装着圧領域７１を形成した場合にも、おむつの着用中に着用者の動作等に起因するおむつのずれ落ちが起こりづらい。また、ウエスト開口部の周縁領域を締め付けなくても優れたずれ落ち防止性能が得られるため、着用感が良好になる。
また、上述した使い捨ておむつ１と同様の作用効果が奏される。また、おむつ着用時の圧力が高い高装着圧領域７１が、外包材を構成する２枚の伸縮性不織布の一方で２層以上の重層部７Ａ，７Ｂを形成することによって形成してあるため、加工上の別工程（材料の調達、切断、搬送、接合）が不要となり、外包材を折り返り接合することで形成が容易である。また、折り返すだけの接合であるので重なる不織布の位置ずれも形成することがない。
【００４３】
以上、本発明をその好ましい実施形態に基づき説明したが、本発明は前記実施形態に制限されるものではない。
例えば、図９及び図１０に示すおむつにおいては、ウエスト開口部５において外層不織布１２のみが折り返されていたが、外層不織布１２と内層不織布１３の両者を、肌当接面側に折り返し、折り返した両不織布を多層をなすように折り畳んで高装着圧領域を形成することもできる。また、ウエスト開口部で折り返した不織布により形成する重層部は、２層又は３層に代えて、４層以上の重層部とすることもできる。
また、図１０のように外層不織布１２が２度折り返された多層部分において、肌に直接に当接する不織布部分のみを、おむつ幅方向の中央部分は下層の折り返し部には接合せずに、おむつ１の左右両側縁には一対のサイドシール部Ｓで接合することにより、おむつ１本体とは連動しない伸縮性不織布がウエスト開口部５に対する防漏壁を形成することも可能である。
【００４４】
また、外層不織布１２及び内層不織布１３の一方は、伸長性を有するが、伸縮性を有しないものであっても良い。例えば、上述した各実施形態のおむつにおいて、伸縮性の内層不織布１３に代えて、実質的に非伸縮性のシートを用いることができる。実質的に非伸縮性のシートとしては、各種公知のものを用いることができ、例えば、おむつ縦方向に延びる多数の分散したスリットを有し、該スリットが開くことによりおむつ幅方向に伸長するもの等を用いることができる。非伸縮性のシートとしては、単層又は多層の不織布の他、不織布とフィルムとのラミネート体等に、スリット加工を施したもの用いることができる。
また、おむつの腹側部及び背側部の一方に伸縮性シートを配して形成された高装着圧領域を有し、他方に、伸縮性シートの重層部を配して形成された高装着圧領域を有していても良い。
【００４５】
また、上述した使い捨ておむつ１においては腹側部Ａの両側縁Ａ１，Ａ２と背側部Ｂの両側縁Ｂ１，Ｂ２とを互いに接合してサイドシール部を形成したが、これに代えて、ホック、ボタン、面ファスナーなどの各種係合部材で予め係合させて、パンツ型の形状となしてもよい。また腹側部Ａの両側縁Ａ１，Ａ２と背側部Ｂの両側縁Ｂ１，Ｂ２との接合又は係合位置は、身体の真横の位置に限られず、身体のやや前寄り又は後寄りの位置であってもよい。
また、上述した使い捨ておむつ１の外層不織布１２の非肌面側においては、ホットメルト粘着剤等の接着剤１４で外層不織布１２と内層不織布１３の間が接合されている場合、ホットメルト粘着剤等の接着剤１４と重なる位置に廃棄用テープを固定することにより、使い捨ておむつ１の伸縮性を維持しながらコンパクトに廃棄可能な使い捨ておむつ１とすることもできる。
【実施例】
【００４６】
以下、実施例により本発明を更に詳細に説明する。しかしながら本発明の範囲はかかる実施例に制限されるものではない。
【００４７】
〔実施例１〕
図１ないし図４にパンツ型おむつを作製した。外層不織布１２及び外層不織布１３としては、弾性繊維の両面に非弾性繊維を複合化したものを用い、伸縮性シート７としては、弾性フィルムの両面に非弾性繊維を複合化したものを用いた。このおむつの各部のおむつ着用時の圧力を表１に示した。展開状態において、長手方向中心線ＣＬから腹側部及び背側部の高装着圧領域の中心位置Ｃ７１までの距離は１８０〜２２０ｍｍであった。
【００４８】
〔実施例２〕
伸縮性シート７を用いず、ウエスト開口部５において吸収性本体１０側に折り返した外層不織布１２ａを用いて、図９に示すように、合計４層の伸縮性不織布からなる高装着圧領域７１を形成した以外は、実施例１と同様にしてパンツ型おむつを作製した。このおむつのウエスト開口部の周縁領域７２は３層の伸縮性不織布から構成され、下方領域７３は２層の伸縮性不織布から構成されている。このおむつの各部のおむつ着用時の圧力を表１に示した。
【００４９】
〔実施例３〕
伸縮性シート７を用いず、ウエスト開口部５において吸収性本体１０側に折り返した外層不織布１２ａを用いて、図１０に示すように、合計５層の伸縮性不織布からなる高装着圧領域７１を形成した以外は、実施例１と同様にしてパンツ型おむつを作製した。このおむつのウエスト開口部の周縁領域７２は３層の伸縮性不織布から構成され、下方領域７３は２層の伸縮性不織布から構成されている。このおむつの各部のおむつ着用時の圧力を表１に示した。
【００５０】
〔比較例〕
実施例２において、ウエスト開口部５において吸収性本体１０側に折り返した外層不織布１２ａを、２層の重層部を形成することなく、実施例２において高装着圧領域が形成された位置まで延出させた以外は、実施例２と同様にしてパンツ型おむつを作製した。このおむつの各部のおむつ着用時の圧力を表１に示した。表１には、実施例１における各部に対応する部位の圧力をそれぞれ示した。
【００５１】
【表１】
2010279813.tif 000003
【００５２】
〔評価〕
得られたおむつを１〜２才の幼児３人に装着させ、以下の評価を行った。その結果を表２に示す。
（１）装着時の操作性（おむつのはかせやすさ）
○：はかせやすい
△：ややはかせやすい
×：はかせにくい
（２）装着６０分後の高装着圧領域の位置ずれ
○：位置ずれ無し
△：やや位置ずれあり
×：位置ずれあり
（３）装着６０分後のウエスト開口部の位置ずれ
○：位置ずれ無し
△：やや位置ずれあり
×：位置ずれあり
（４）装着６０分後のウエスト開口部の周縁領域に対応する身体部位におけるゴム跡
○：ゴム跡無し
△：ややゴム跡あり
×：ゴム跡あり
（５）装着６０分後の高装着圧領域に対応する身体部位における締め付け跡
○：締め付け跡無し
△：やや締め付け跡あり
×：締め付け跡あり
【００５３】
【表２】
2010279813.tif 000004
【図面の簡単な説明】
【００５４】
【図１】本発明のパンツ型使い捨ておむつの一実施形態を示す斜視図である。
【図２】図１に示すおむつの展開状態を示す平面図である。
【図３】図１に示すおむつの分解斜視図である。
【図４】図４（ａ）は、図２のII− II線断面図であり、図４（ｂ）は、図２のIII−III線断面図である。
【図５】腸骨を示す説明図である。
【図６】着用者のウエスト部におけるずれ落ち力の算出方法を示す説明図である。
【図７】上前腸骨棘高前後長の測定方法を示す説明図である。
【図８】本発明のおむつの別の実施形態を示す図であり、図８（ａ）は斜視図、図８（ｂ）は展開状態を示す平面図である。
【図９】本発明のおむつの更に別の実施形態を示す図で、図９（ａ）は図４（ａ）相当図、図９（ｂ）は図４（ｂ）相当図である。
【図１０】本発明のおむつの更に別の実施形態を示す図で、図１０（ａ）は図４（ａ）相当図、図１０（ｂ）は図４（ｂ）相当図である。
【符号の説明】
【００５５】
１  パンツ型使い捨ておむつ
２  表面シート
３  裏面シート
４  吸収性コア
５  ウエスト開口部
６  レッグ開口部
７１  高装着圧領域
７２  ウエスト開口部の周縁領域
７３  下方領域（高装着圧領域よりもレッグ開口部側の領域）
【図１】
2010279813.tif 000005
【図２】
2010279813.tif 000006
【図３】
2010279813.tif 000007
【図４】
2010279813.tif 000008
【図５】
2010279813.tif 000009
【図６】
2010279813.tif 000010
【図７】
2010279813.tif 000011
【図８】
2010279813.tif 000012
【図９】
2010279813.tif 000013
【図１０】
2010279813.tif 000014